(57)【要約】歯科用コーピングは、支台、インプラント、アナログ、または他の構成要素の対応する表面に形成される溝に取り外し可能に係合し、コーピングが構成要素上に適正に位置付けられている触覚確認（スナップ感覚等）を可能にする、コーピングの内面の歯冠部上に形成される部分的円周リブまたは他の係合特徴を含む。係合特徴は、１つ以上のテーパー表面を含み得る。随意で、コーピングには、歯科用構成要素の外面上に形成される整列表面に対応する、内部整列表面が提供され、ならびに、コーピングの内部整列表面および構成要素を整列させる際に外部視覚および触覚補助を可能にする、随意的な外部整列特徴を有する。コーピングはまた、構成要素上のコーピングの精密な嵌まりを提供するように、１つ以上の面取りした、または円筒状の表面を含み得る。
2012512716.tif 000002
【特許請求の範囲】
【請求項１】
歯肉組織から延在する歯科用構成要素との取り外し可能な係合のための歯科用コーピングであって、
裁頭円錐形外面と、内部陥凹と、閉鎖歯冠端部と、開放歯根尖端部とを有する本体と、
該内部陥凹において提供される裁頭円錐形内面と、
該内面上の突起として形成され、該内部陥凹の周囲で少なくとも部分的に円周方向に延在する係合特徴であって、該係合特徴は、該内部陥凹の該歯根尖端部よりも該内部陥凹の該歯冠端部の近くに位置付けられる、係合特徴と
を備えている、歯科用コーピング。
【請求項２】
歯冠テーパー表面と歯根尖テーパー表面とをさらに備え、該歯冠テーパー表面および該歯根尖テーパー表面は、それぞれ、前記係合特徴の歯冠縁部および歯根尖縁部を形成する、請求項１に記載の歯科用コーピング。
【請求項３】
前記歯冠および歯根尖テーパー表面は、前記歯科用構成要素との前記係合特徴のスナップ嵌めを達成するように設計されたテーパーの角度を有する、請求項２に記載の歯科用コーピング。
【請求項４】
前記歯科用コーピングの前記開放歯根尖端部において前記内面上に提供される実質的に円筒状の係合表面であって、該歯科用コーピングの縦軸と実質的に平行に伸び、かつ前記歯肉組織から延在する前記歯科用構成要素の円筒状表面部分に適応するように提供される円筒状の係合表面と、
該円筒状の係合表面に対して歯冠側に隣接して該内面上に提供される第１の面取りした表面であって、該歯科用コーピングの該縦軸に対して第１の角度を形成し、かつ該円筒状表面部分に対して歯冠側に隣接する該歯科用構成要素の第１の表面部分に適応するように提供される第１の面取りした表面と
をさらに備えている、請求項１に記載の歯科用コーピング。
【請求項５】
前記閉鎖歯冠端部上に位置付けられる歯冠方向に延在する整列構造をさらに備えている、請求項１に記載の歯科用コーピング。
【請求項６】
前記内面上で縦方向に延在する、平坦な整列表面をさらに備え、該平坦な整列表面は、前記歯冠方向に延在する整列構造と整列されている、請求項５に記載の歯科用コーピング。
【請求項７】
請求項１に記載のコーピングとともに使用するための歯科用構成要素であって、該歯科用構成要素は、該歯科用構成要素との該コーピングの取り外し可能な係合を可能にするために、該コーピングの前記内部陥凹の中の前記係合特徴に係合するための溝を含む、歯科用構成要素。
【請求項８】
前記溝は、前記コーピング上の前記係合特徴の前記歯冠テーパー表面および前記歯根尖テーパー表面に対応する、歯冠テーパー表面および歯根尖テーパー表面をさらに備えている、請求項７に記載の歯科用構成要素。
【請求項９】
前記構成要素は、支台を含む、請求項７に記載の歯科用構成要素。
【請求項１０】
前記構成要素は、インプラントを含む、請求項７に記載の歯科用構成要素。
【請求項１１】
前記構成要素は、アナログである、請求項７に記載の歯科用構成要素。
【請求項１２】
歯科用アセンブリであって、
歯肉組織から延在する歯科用構成要素との取り外し可能な係合のための印象キャップであって、
裁頭円錐形外面と内部陥凹と閉鎖歯冠端部と開放歯根尖端部とを有する本体と、
該内部陥凹において提供される裁頭円錐形内面と、
該内面上の突起として形成され、該内部陥凹の周囲で少なくとも部分的に円周方向に延在する係合特徴であって、該係合特徴は、該内部陥凹の該歯根尖端部よりも該内部陥凹の該歯冠端部の近くに位置付けられる、係合特徴と
を有する、印象キャップと、
歯科用構成要素との該印象キャップの取り外し可能な係合を可能にするために、該印象キャップの該内部陥凹における該係合特徴と係合するための溝を備えている歯科用構成要素と
を備えている、歯科用アセンブリ。
【請求項１３】
前記印象キャップは、歯冠テーパー表面と歯根尖テーパー表面とをさらに含み、該歯冠テーパー表面および該歯根尖テーパー表面は、それぞれ、前記係合特徴の歯冠縁部および歯根尖縁部を形成する、請求項１２に記載の歯科用アセンブリ。
【請求項１４】
前記印象キャップの前記歯冠および歯根尖テーパー表面は、前記歯科用構成要素の前記溝との前記係合特徴のスナップ嵌めを達成するように設計されたテーパーの角度を有する、請求項１３に記載の歯科用アセンブリ。
【請求項１５】
前記印象キャップは、
前記開放歯根尖端部において前記内面上に提供される実質的に円筒状の係合表面であって、前記歯肉組織から延在する前記歯科用構成要素の円筒状表面部分に係合するための円筒状の係合表面と、
該円筒状の係合表面に歯冠側に隣接して該内面上に提供される第１の面取りした表面であって、前記第１の傾斜した係合表面は、該印象キャップの縦軸に対して第１の角度で傾斜し、かつ該円筒状表面部分に歯冠側に隣接する該歯科用構成要素の第１の表面部分に適応するように提供される、第１の面取りした係合表面と
をさらに備えている、請求項１２に記載の歯科用アセンブリ。
【請求項１６】
前記印象キャップは、前記閉鎖歯冠端部上に位置付けられる歯冠方向に延在する整列構造をさらに含む、請求項１２に記載の歯科用アセンブリ。
【請求項１７】
前記印象キャップは、前記内面上で縦方向に延在する平坦な整列表面をさらに含み、該平坦な整列表面は、前記歯冠方向に延在する整列構造と整列され、前記歯科用構成要素は、該印象キャップの該平坦な整列表面および該歯冠方向に延在する整列構造と整列する平坦な外面部分を含む、請求項１２に記載の歯科用アセンブリ。
【請求項１８】
前記歯科用構成要素は、支台を含む、請求項１２に記載の歯科用アセンブリ。
【請求項１９】
前記歯科用構成要素は、インプラントを含む、請求項１２に記載の歯科用アセンブリ。
【請求項２０】
前記歯科用構成要素は、アナログである、請求項１２に記載の歯科用アセンブリ。
【発明の詳細な説明】
【技術分野】
【０００１】
本発明は、概して、歯科用構成要素の分野に関し、より具体的には、インプラント部位の位置および配向を正確に記録して修復構成要素の正確な製造を可能にするように、患者の口腔の印象を採得するプロセス中に使用される構成要素に関する。本発明の構成要素は、ピックアップ印象法で使用するための印象キャップ、ならびに印象キャップに取り外し可能に係合するように設計される支台、インプラント、アナログ、および他の歯科用構成要素を含む。
【背景技術】
【０００２】
歯科インプラントは、欠損または損傷した自然歯に取って代わるために広く使用される。インプラントの挿入は、いくつかの段階で達成され得る。最初に、インプラントは、患者の上顎骨または下顎骨に位置付けられ、ある一定の期間にわたって治癒され、その間、骨へのインプラントのオッセオインテグレーションが生じる。治癒キャップは、この間にインプラントの上に位置付けられ得る。治癒期間後、治癒キャップは除去され、支台がインプラントに連結される。いったん支台が固定されると、インプラント部位の位置および配向を正確に記録するために、かつ修復構成要素を製造するために必要とされる情報を提供するために、印象が採得され得る。
【０００３】
インプラント部位の印象を採得する一方法は、印象または移転キャップの使用を伴う。印象キャップは、支台またはインプラント上に配置される。印象材料は、印象材料が印象キャップの周囲およびインプラント部位の中へ押し込まれるように部位に塗布され、次いで、患者の口腔から除去される。印象キャップは、印象材料が除去される時に印象材料の中に留まり、したがって、印象キャップが印象作製プロセス中に支台またはインプラントに取り外し可能に係合することが有利である。印象材料は、所望の代用構成要素の製造で使用するためのインプラント部位の型を作成するために使用される。
【発明の概要】
【課題を解決するための手段】
【０００４】
本発明は、支台、インプラント、および／またはアナログ等の歯科用構成要素と取り外し可能に係合するための印象キャップまたは他の歯科用コーピングに関する。印象キャップまたは他のコーピングは、歯科用構成要素へのキャップの精密な嵌まりを提供するように、係合特徴、外部整列特徴、および内部整列特徴を有して設計される。さらに、印象キャップまたは他のコーピングは、歯肉縁よりも下に延在しないように設計され、外面をコンパクトにし、かつインプラント周囲の軟組織の障害を最小限に抑えるか、または排除する。
【０００５】
より具体的には、本発明は、支台、インプラント、アナログ、または他の構成要素の対応する表面に形成される溝に取り外し可能に係合し、キャップが構成要素上に適正に位置付けられている触覚確認を可能にする、キャップの内面の歯冠部上に形成される、部分的円周リブまたは他の係合特徴を含む、印象キャップまたは他のコーピングに関する。随意で、キャップには、歯科用構成要素の外面上に形成される整列表面に対応する、内部整列表面が提供され、ならびに、キャップの内部整列表面および構成要素を整列させる際に外部視覚および触覚補助を可能にする、随意的な外部整列特徴を有する。キャップはまた、構成要素上のキャップの精密な嵌まりを提供することを補助するために、１つ以上の面取りした、および／または円筒状の表面を含み得る。
【０００６】
本発明に従った歯科用コーピングは、裁頭円錐形外面と、内部陥凹と、閉鎖歯冠端部と、開放歯根尖端部とを有する本体であって、裁頭円錐形内面は、内部陥凹に提供される、本体と、内面上の突起として形成され、内部陥凹の周囲で少なくとも部分的に円周方向に延在する、係合特徴であって、内部陥凹の歯根尖端部よりも内部陥凹の歯冠端部の近くに位置付けられる、係合特徴とを含み得る。歯科用コーピングはまた、歯冠テーパー表面と歯根尖テーパー表面とを含み得、歯冠および歯根尖テーパー表面はそれぞれ、係合特徴の歯冠縁部および歯根尖縁部を形成する。歯冠テーパー表面および歯根尖テーパー表面は、歯科用構成要素との係合特徴のスナップ嵌めを達成するように設計されたテーパーの角度を有し得る。
【０００７】
さらに、円筒状の係合表面は、随意で、開放歯根尖端部において内面上に提供され得、円筒状の係合表面は、歯肉組織から延在する歯科用構成要素の円筒状表面部分に係合する。１つ以上の面取りした表面は、随意で、円筒状の係合表面に歯冠側に隣接して内面上に提供され得、面取りした表面は、コーピングの縦軸に対して種々の角度で傾斜し、円筒状表面部分に歯冠側に隣接する歯科用構成要素の対応する斜切表面部分に適応するように提供される。コーピングは、閉鎖歯冠端部、および／または内面上で縦方向に延在する平坦な整列表面上に位置付けられる、歯冠方向に延在する整列構造をさらに含み得る。両方が提供される場合、平坦な整列表面は、歯冠方向に延在する整列構造と整列され得る。
【０００８】
歯科用コーピングとともに使用するための歯科用アセンブリは、歯科用構成要素との印象キャップの取り外し可能な係合を可能にするように、コーピングの内部陥凹における係合特徴に係合するための溝を備えている、歯科用構成要素を含み得る。歯科用構成要素の溝または係合特徴はまた、コーピング上の係合特徴の歯冠テーパー表面および歯根尖テーパー表面に対応する、歯冠テーパー表面と歯根尖テーパー表面とを含み得る。
【０００９】
整列特徴が上記のようにコーピング上に提供される場合、歯科用構成要素は、コーピングの平坦な整列表面および歯冠方向に延在する整列構造と整列する、平坦な外面部分を含み得る。歯科用構成要素は、コーピングの随意的な円筒状および／または面取りした表面に対応する、円筒状および／または面取りした表面をさらに含み得る。
【００１０】
本発明のこれらおよび他の特徴および利点は、本発明を実施するために検討される最良の形態を含む、本発明の例示的な実施形態が示され、記載される、以下の発明を実施するための形態から当業者には明らかとなるであろう。理解されるように、本発明は、全て本発明の精神および範囲から逸脱することなく、種々の明白な側面の修正が可能である。したがって、図面および発明を実施するための形態は、制限的ではなく、本質的に例示的なものと見なされるものとする。
【図面の簡単な説明】
【００１１】
【図１】図１は、本発明に従った印象キャップ、支台、およびインプラントの断面図を示す。
【図２】図２は、図１の印象キャップ、支台、およびインプラントの断面図の回転された図を示す。
【図３】図３は、図２の線Ａ−Ａに沿った印象キャップの半径方向断面図を示す。
【図４】図４は、図１および２の印象キャップの係合特徴および支台に形成される対応する溝の詳細図を提供する。
【図５】図５は、図２の線Ｂ−Ｂに沿った印象キャップの半径方向断面図を示す。
【図６】図６および７は、図１および２の印象キャップの外観図を示す。
【図７】図６および７は、図１および２の印象キャップの外観図を示す。
【図８】図８は、図１および２の印象キャップの三次元斜視図を提供する。
【図９】図９は、図１〜８の印象キャップとともに利用され得る例示的な支台の断面図を示す。
【図１０】図１０は、図９の支台の断面図の回転された図を示す。
【図１１】図１１は、図９および１０の支台に形成される溝の詳細図を提供する。
【図１２】図１２は、図９〜１１の支台の上面図を示す。
【図１３】図１３は、図１〜８の印象キャップとともに使用するための３つの例示的な支台を示す。
【図１４】図１４は、図１〜８の印象キャップとともに使用するための例示的なインプラント／支台アセンブリを示す。
【図１５】図１５および１６は、本発明に従った代替の印象キャップ、支台、およびインプラントの特徴を示す。
【図１６】図１５および１６は、本発明に従った代替の印象キャップ、支台、およびインプラントの特徴を示す。
【図１７】図１７は、アナログとの図１５および１６の印象キャップの使用を示す。
【発明を実施するための形態】
【００１２】
ここで、添付の図面を参照して本発明を説明する。添付の図面は、本発明の実施例を提供することを目的とし、本発明の概念の適用を例示された構造に限定することを目的としていない。本明細書に記載する本発明の係合および整列特徴は、当業者には明らかとなるように、種々の歯科用コーピングおよび歯科用構成要素で実施され得る。
【００１３】
添付の図面を参照すると、図１は、歯冠端部２、歯根尖端部３、および縦軸Ｌを有する、印象キャップ１を示す。印象キャップ１は、インプラント４に連結される支台５上に位置付けられる。
【００１４】
印象キャップ１は、キャップ１の歯冠端部２における表面１９で閉鎖し、キャップ１の歯根尖端部３において開放している、裁頭円錐形内面６を有する、内部陥凹を形成する。キャップ１の内部陥凹の内面６は、概して、裁頭円錐形であり、キャップ１の歯根尖端部３から歯冠端部２に内向きにテーパーが付けられている。
【００１５】
印象キャップ１の外面７は、概して、裁頭円錐形であり、キャップ１の歯根尖端部３から歯冠端部２に内向きにテーパーが付けられ得る。例えば、支台５上にキャップ１を位置付けることを補助するように、および／または印象材料へのキャップ１の埋め込みを促進するように、キャップ１の外面上にいくつかの構造が提供され得る。具体的には、キャップ１は、支台５上のキャップ１の整列を補助するように、キャップ１の実質的に平坦な上面１７から延在する、歯冠方向に延在する整列構造１０を含む。加えて、またはあるいは、キャップ１の外面から放射状に延在する、円周突起１１等の１つ以上の突起が提供され得る。キャップ１の歯冠端部２はまた、ショルダ部分１６を有し得る。内向きにテーパーが付けられた部分１８は、キャップ１がインプラント５を包囲するキャップの歯槽基底において提供され得る。
【００１６】
印象キャップ１の内面６は、キャップ１の内面６から縦軸Ｌに向かって延在する、円周または部分的円周リブまたは他の突起を備えている、係合特徴１２が備わっている。係合特徴１２は、支台５の表面に形成される、対応する部分的円周の陥凹２０に係合するように位置付けられる。係合特徴１２は、インプラント４の歯冠表面２２（支台５がインプラント４から出現する）と係合特徴１２との間の距離Ｄ１が、係合特徴１２と支台５の歯冠表面９２との間の距離Ｄ２よりも大きくなるように位置付けられる。
【００１７】
キャップ１の歯根尖端部３の付近において、キャップ１の内面６は、表面１３および１４等の１つ以上の面取りした表面、ならびに表面１５等の１つ以上の縦方向に延在する係合表面をさらに含み得る。
【００１８】
図１の実施形態では、表面１３は、キャップ１の内面６と支台５の外面との間に空間または間隙を作成するように、支台５の表面から離れるように面取りされる。この空間または間隙は、図１に示すように、上点２４から下点２５に延在する。インプラント４の歯冠表面２２は、この空間内に含まれる。面取りした表面１３は、半径方向に支台５の外面を越えて延在するインプラント４の歯冠表面２２に適応することにより、支台５およびインプラント４へのキャップ１の挿入を促進するように提供される。
【００１９】
係合表面１４は、支台５の外向きにテーパーのついた裁頭円錐形表面１４００に対応する（図１４を参照されたい）。表面１５は、図１４に示すようなインプラント４の縦方向に延在する円筒状表面１４０１に対応する。インプラント４、支台５、または他の構成要素へのキャップ１の精密な嵌めのために必要に応じて、追加および／または代替の面取りした、および／または縦方向の表面が、キャップ１の内面６上に提供され得る。
【００２０】
支台５の歯冠端部９２（図９〜１１を参照されたい）とキャップ１の歯冠内面１９との間のキャップ１の内部内に、空洞２３が作成され得る。内面６の表面部分２１は、支台５の上面９２の外周部分と当接し得る。
【００２１】
図２は、キャップ１の縦軸Ｌの周囲で９０度回転した、図１の印象キャップ１、支台４、およびインプラント５の図を提供する。整列特徴は、キャップ１の内面６上に提供される。具体的には、縦方向に延在し、キャップ１の縦軸Ｌに実質的に平行である、実質的に平坦な内面部分９が提供される。表面部分９は、支台５上のキャップ１の整列を補助するように、キャップ１の歯冠端部２上の延在部分１０と整列する。表面部分９の歯根尖端部において、支台５の内面形状に対応するように、湾曲表面部分８が提供される（図１０を参照して以下に記載する）。
【００２２】
図３は、Ａ−Ａに沿った図２の印象キャップの断面図を提供する。該断面図は、円周突起１１、係合特徴１２、支台５の頂部と当接する表面部分２１、および整列表面部分９を示す。
【００２３】
図４は、印象キャップ１の内面６上に形成される係合特徴１２、および支台５の表面４００に形成される溝２０とのその整列の詳細図を提供する。
【００２４】
係合特徴１２は、印象キャップ１が支台５（または他の歯科用構成要素）上に適正に位置付けられていることを触覚的に確認することを可能にするように設計され得る。キャップ１の正しい位置付けの触覚確認は、係合特徴１２が陥凹２０に嵌入するように、スナップ感覚として提供され得る。係合特徴１２が陥凹２０に係合する時にそのようなスナップ感覚を達成するために、係合特徴１２は、陥凹２０へのスナップ係合前にポテンシャルエネルギーを増大させる。次いで、係合特徴１２は、陥凹２０に入るにつれて、急速な動きでこのエネルギーを放出する。次いで、陥凹２０は、係合特徴１２の動きをしっかりと停止する。この順序は、支台５上のキャップ１の正しい位置付けの触覚確認を可能にする、スナップ感覚を生成する。
【００２５】
内部円錐（ここでは、支台５）を覆う外部円錐（ここでは、印象キャップ１）の接続は、円錐／円錐界面の減衰効果の制限を必要とする。キャップ１上の係合特徴１２が支台５の表面４００へと伸びるにつれて、それは、ポテンシャルエネルギーを増大させる。係合特徴１２が陥凹２０に達する時に、それは、陥凹２０の中へと急速に弛緩する。この急速な弛緩は、キャップ１を支台５へと歯根尖の方向に急速に移動させる。係合特徴１２が陥凹２０の歯根尖側に直面する時に、それは、急に停止する。この急な停止は、スナップ感覚を提供し、それは、支台５の外面４００に激突し、しっかりと停止する（本質的には、微小衝突をもたらす）、キャップ１の内面６の慣性により生成され、音および衝撃をもたらす。この相互作用の順序が所望のスナップ感覚を生成するように生じ得ること（すなわち、キャップ１が急速に移動し、次いで、係合特徴１２が陥凹２０に係合する時に急に停止すること）を確実にするために、衝撃の望ましくない減衰を防止するように、支台５の裁頭円錐形表面とキャップ１の内面６との間に隙間が提供される。この隙間を達成し、なおもキャップ１と支台５との間の適正な嵌まりを維持するために、支台５の裁頭円錐形表面は、陥凹２０の両側（歯冠および歯根尖）で少しテーパーが付けられている。キャップ１には、それぞれが係合特徴１２の歯冠縁部および歯根尖縁部を形成する、テーパー表面４０１および４０２が提供される。陥凹２０を縁取りする支台５の表面４０３および４０４の歯根尖および歯冠のテーパーの角度は、キャップ１の表面４０１および４０２のそれぞれのテーパーの角度に対応する。表面４０１、４０２、４０３、および４０４のテーパーの角度は、好ましくは、キャップ１の内面６または支台５の外面４００を基準にして１〜２度の範囲であってもよいが、任意の所望の角度が使用され得る。歯根尖および歯冠テーパーの角度は、実質的に同一であり得、または所望のスナップ感覚を生成するために必要に応じて異なり得る。
【００２６】
図示された実施形態では、係合特徴１２は、印象キャップ１の一体化成形部分として製造される、部分的円周リブとして提供される。係合特徴１２は、内面６の円周の周囲に延在し、内面６の整列表面部分９にわたって延在しない。係合特徴１２は、距離Ｄ１が距離Ｄ２よりも大きくなるように、キャップ１の内面６上のある点で提供される（図１を参照されたい）。印象キャップ１が支台５を覆って嵌められ、歯根尖の方向３に押し付けられる時に、リブは、支台５の溝２０を係合し、表面１４および１５において、インプラント４の頂部に対して印象キャップ１を固定する。溝２０へのリブ１２の係合は、印象キャップ１が支台４およびインプラント５上に正確に位置付けられていることを示すスナップの形態の触覚確認を生成し得る。
【００２７】
代替の実施形態（図示せず）では、係合特徴１２は、キャップ１の内面６の全円周の周囲に延在し得、または円周の周囲に部分的にのみ延在し得、または支台５とのキャップ１の取り外し可能な係合を可能にするために必要に応じて、種々の位置で複数の突起として提供され得る。係合特徴１２はまた、任意の所望の材料から製造され得、キャップ１の成形部分として、または後にキャップ１に取り付けられる別個の構成要素として製造され得る。
【００２８】
図５を参照すると、図２の線Ｂ−Ｂに沿った断面図は、歯冠内面１９、表面部分２１、係合特徴１２、内面６、整列表面部分９、表面１３、１５、および１４、ならびに外部突起１１を含む、印象キャップ１の内部構成を示す。
【００２９】
図６および７は、縦方向に延在する部分１０、上面１７、および突起１１を含む、印象キャップ１の外観図を示す。
【００３０】
図８は、表面１３、１４、および１５、内面６、係合特徴１２、整列表面部分９、ならびに湾曲表面部分８を含む、印象キャップ１の三次元斜視図を提供する。
【００３１】
印象キャップ１は、アセタールまたは任意の他の所望の材料を使用した、従来の成形法または他の製造方法を使用して製造され得る。
【００３２】
治癒キャップ、バーンアウトコーピング、および他の種類の歯科用コーピングには、仮の、または永久的な支台、アナログ、もしくはレプリカ、および／または他の歯科用構成要素とのキャップの取り外し可能な係合を可能にするように、本明細書に記載する特徴１２等の係合特徴が提供され得ることが想定される。
【００３３】
図９は、上記の印象キャップ１とともに利用され得る、支台を示す。支台５は、インプラント４に支台５を連結するための手段を含む（例えば、図１および２に示すように）。例えば、支台５には、インプラント４の中のネジ受け取り穴に螺入される、ネジ山が提供され得る。代替の連結機構が利用され得る。
【００３４】
図９では、支台５の部分Ｙは、インプラント４の内側穴に提供されるネジ山（図示せず）との係合のためのネジ部分９１、および点９０からネジ部分９１に向かって歯根尖方向に延在し、縦軸Ｌに向かって内向きにテーパーが付けられる、概して裁頭円錐形の部分を含む。部分Ｙは、インプラント４に挿入される。支台５の部分Ｘは、点９０から歯冠方向に延在し、支台５の歯冠端部９２へと縦軸Ｌに向かって内向きにテーパーが付けられる、概して裁頭円錐形の部分である。部分Ｙがインプラント４に挿入される時に、部分Ｘは、歯冠方向にインプラント４から外に延在する。
【００３５】
本発明のこの実施形態では、支台５の部分Ｘの中間点よりも上の位置に、部分的円周溝２０が形成される。溝２０は、支台５の円周の周囲に延在し、支台の外面の平坦な整列表面部分１０１０にわたって延在しない。溝２０の構成は、印象キャップ１の係合特徴１２に適応するように設計される。溝２０の位置は、距離Ｐ（支台の歯冠端部から溝２０まで）が、距離Ｑ（溝２０から、支台５がインプラント４に挿入された場合にインプラント４の歯冠端部が位置付けられる点９０まで）よりも小さくなるような位置である。溝２０は、支台５およびインプラント４とのキャップ１の取り外し可能な係合を可能にするように、上記のように、印象キャップ１上の係合特徴１２と係合するように形成される。
【００３６】
図１０は、支台５の縦軸Ｌの周囲で９０度回転した図９の支台５の図を提供する。図１０は、キャップ１の平坦な整列表面部分９と支台５の平坦な表面１０１０、およびキャップ１の湾曲表面部分８（図２に示すように）と支台５の湾曲表面部分１０００を整列することにより、支台５および印象キャップ１の整列を促進するように、支台５上に形成される、平坦な整列表面部分１０１０および湾曲表面部分１０００を示す。
【００３７】
図１１は、支台５の表面に形成される溝２０の詳細図を提供する。
【００３８】
図１２は、支台５の歯冠端部９２、溝２０、点９０、平坦な表面部分１０１０、および湾曲表面部分１０００を含む、支台５の歯冠から見た図を提供する。
【００３９】
図１３は、支台５の３つの例示的な形状を示し、それらの全ては、印象キャップ１と係合するように設計される。図１３（Ａ）は、７．０ｍｍの長さのＸ部分を有する支台５を示す。図１３（ｂ）は、５．５ｍｍの長さのＸ部分を有する支台５を示す。図１３（Ｃ）は、４．０ｍｍの長さのＸ部分を有する支台５を示す。必要に応じて、代替の支台の長さが利用され得る。
【００４０】
図１３に示す３つの実施形態のそれぞれにおいて、溝２０は、図１および２を参照した上記のように、印象キャップ１の係合特徴１２に係合するように、支台の部分Ｘの中間点よりも上に位置付けられる。
【００４１】
図１４は、印象キャップ１とともに利用され得るインプラント４および支台５の例示的なアセンブリを示す。支台５は、インプラント４から、支台５の点９０から歯冠表面９２に歯冠方向に延在する。インプラント４の歯冠表面２２もまた示される。さらに、インプラント４は、歯冠表面２２の外側縁部から歯根尖方向に延在する、外向きにテーパーが付けられた外面部分１４００、インプラント４の縦軸と実質的に平行な表面を有し、表面１４００から歯根尖方向に延在する、円筒状表面部分１４０１、および円筒状表面部分１４０１から歯根尖方向に延在する、内向きにテーパーが付けられた部分１４０２を含む。図１４に示すように、インプラント４の外面上にネジ部分１４０３が提供され、支台５を受け取るように、インプラント４内に内部穴が提供される。インプラント４および支台５のアセンブリにより、１４１０、１４１１、１４１２、および１４１３等の１つ以上の空間が作成され得る。
【００４２】
支台５およびインプラント４は、従来の製造技術を使用して、必要に応じてチタン合金または他の材料を使用して製造され得る。
【００４３】
図１５〜１７は、本発明に従った、印象キャップおよび印象キャップとともに使用するための歯科用構成要素の代替の実施形態を示す。図１５は、歯冠端部１５０２、歯根尖端部１５０３、および縦軸Ｌを有する、印象キャップ１５０１を示す。印象キャップ１５０１は、インプラント１５０４に連結され得る支台１５０５上に位置付けられる。
【００４４】
印象キャップ１５０１は、キャップ１５０１の歯冠端部１５０２において閉鎖し、キャップ１５０１の歯根尖端部１５０３で開放する、裁頭円錐形内面１５０６を有する内部陥凹を形成する。キャップ１５０１の内部陥凹の内面１５０６は、概して、裁頭円錐形であり、キャップ１５０１の歯根尖端部１５０３から歯冠端部１５０２に内向きにテーパーが付けられる。
【００４５】
印象キャップ１５０１の外面１５０７は、図１５〜１７に示すような形状で成形され得る。例えば、支台１５０５上のキャップ１５０１の位置付けを補助するように、および／または印象材料へのキャップ１５０１の埋め込みを促進するために、キャップ１５０１の外面上に、いくつかの構造が提供され得る。具体的には、キャップ１５０１は、支台１５０５上のキャップ１５０１の整列を補助するように、キャップ１５０１の実質的に平坦な上面１５１７から延在する、歯冠方向に延在する整列構造１５１０を含む。さらに、またはあるいは、キャップ１５０１の外面および／または歯冠表面から放射状に延在する、円周突起１５１１等の様々な設計および寸法の１つ以上の突起が提供され得る。キャップ１５０１の歯根尖端部に向かって、表面１５０７の内向きにテーパーが付けられた部分１５１８が提供され得る。
【００４６】
図１〜１４を参照した上記の印象キャップと同様に、印象キャップ１５０１の内面１５０６には、内面１５０６からキャップ１５０１の縦軸Ｌに向かって延在する、円周もしくは部分的円周リブ、または他の突起を備えている、係合特徴１５１２が提供される。係合特徴１５１２は、支台１５０５の表面に形成される、対応する部分的円周の陥凹１５２０を係合するように位置付けられる。係合特徴１５１２は、インプラント１５０４の歯冠表面（支台１５０５がインプラント１５０４から出現する）と係合特徴１５１２との間の距離Ｄ１が、係合特徴１５１２と支台１５０５の歯冠表面１５９２との間の距離Ｄ２よりも大きくなるように位置付けられる。係合特徴１５１２はまた、図４を参照した上記のようなテーパーが付けられた歯冠および歯根尖表面を含み得る。
【００４７】
キャップ１５０１の歯根尖端部１５０３の付近において、キャップ１５０１の内面１５０６は、表面１５１３等の１つ以上の面取りした表面、ならびに表面１５１５等の１つ以上の縦方向に延在する実質的に円筒状の係合表面をさらに含み得る。
【００４８】
図１５の実施形態では、表面１５１３は、インプラント１５０４の傾斜表面に対応するように、外向きに面取りされる。表面１５１５は、図１５〜１６に示すように、インプラント１５０４の縦方向に延在する円筒状表面に対応する。インプラント１５０４、支台１５０５、または他の構成要素へのキャップ１５０１の精密な嵌まりのために必要に応じて、追加および／または代替の面取りした、および／または縦方向の表面が、キャップ１５０１の内面１５０６上に提供され得る。例えば、インプラント１５０４上のキャップ１５０１の位置付けを補助するように、キャップ１５０１の歯根尖基底において、内面１５０６上に追加のテーパー表面１５３０が提供され得る。
【００４９】
支台１５０５の歯冠端部１５９２の間で、キャップ１５０１の内部に通気口１５２３が作成され得る。通気口は、印象材料が通気口を通してキャップ１５０１に入ることを阻止する一方で、空気が通気口１５２３を通して流動することを可能にするように形成される、バッフルまたは可撓性カバーフラップ１５１９によりアクセスされ得る。可撓性カバーフラップ１５１９は、キャップ１５０１の歯冠表面１５１７に形成される陥凹１５２５に位置付けられ得る。通気口１５２３の上の定位置（図１６を参照されたい）に可撓性カバーフラップ１５１９を位置付けるように、構造１５２７等の１つ以上の構造が提供され得る。この図示される実施形態では、構造１５２７は、空間１５２６に隣接する。また、内面１５０６の歯冠表面部分１５２１は、支台１５０５の上面１５９２の外周部分と当接し得る。
【００５０】
図１６は、キャップ１５０１の縦軸Ｌの周囲で９０度回転した、図１５の印象キャップ１５０１、支台１５０４、およびインプラント１５０５の図を提供する。キャップ１５０１の内面１５０６上に、整列特徴が提供される。具体的には、縦方向に延在し、キャップ１５０１の縦軸Ｌと実質的に平行である、実質的に平坦な内面部分１５０９が提供される。表面部分１５０９は、支台１５０５上のキャップ１５０１の整列を補助するように、キャップ１５０１の歯冠端部１５０２上の延在部分１５１０と整列される。表面部分１５０９の歯根尖端部において、支台１５０５の内面形状に対応するように、湾曲表面部分１５０８が提供される（図１０を参照した支台５に関する上記と同様）。
【００５１】
図１７は、アナログ１７００との印象キャップ１５０１の使用を示す。キャップ１５０１がアナログ１７００に位置付けられる場合に、表面１５１３、１５１５、および１５３０は、図１７に示すように、アナログ１７００の表面とキャップ１５０１の内面１５０６との間に間隙を形成し得る。アナログ１７００には、アナログ１７００とのキャップ１５０１の係合を可能にするように、キャップ１５０１の係合特徴１５１２を受け取る溝または凹形表面部分１７２０が提供される。
【００５２】
印象キャップ１５０１は、アセタールまたは任意の他の所望の材料を使用した、従来の成形法または他の製造方法を使用して製造され得る。
【００５３】
治癒キャップ、バーンアウトコーピング、および他の種類の歯科用コーピングには、仮の、または永久的な支台、アナログ、もしくはレプリカ、および／または他の歯科用構成要素とのキャップの取り外し可能な係合を可能にするように、本明細書に記載する特徴１５１２等の係合特徴が提供され得ることが想定される。
【００５４】
代替の実施形態（図示せず）では、５もしくは１５０５等の支台、１７００等のアナログ、または他の歯科用構成要素上に、溝または凹部２０、１５２０、または１７２０と機能が匹敵する、種々の形状および構成の係合特徴が提供され得る。そのような係合特徴は、構成要素とのキャップ１または１５０１の取り外し可能な係合を可能にするために、例えば、構成要素の全円周の周囲に延在し得、または構成要素の円周の周囲に部分的にのみ延在し得、または必要に応じて、種々の位置で複数の溝、凹部、または他の係合特徴として提供され得る。
【００５５】
特に、整列表面８、９、１５０８、および１５０９、ならびに歯冠方向に延在する整列表面１０および１５１０を含む、上記の整列特徴は、随意的であり、本発明の範囲から逸脱することなく省略され得る。したがって、印象キャップ１または１５０１は、係合特徴１２または１５１２を有する、実質的に裁頭円錐形内面６または１５０６を有するように設計され得る。
【００５６】
さらに、単一部品のインプラント（単一の構成要素がインプラントおよび支台として機能する）、複数部品のインプラント、アナログ、および他の歯科用構成要素は、本発明に従った、印象キャップ１の係合特徴１２（またはキャップ１５０１の１５１２）との取り外し可能な係合を可能にするための溝２０または１５２０等の係合特徴、ならびに表面１０００および１０１０等の整列表面を有して製造され得る。
【００５７】
上記の説明および図面から、示され、記載される特定の実施形態は、例示のみを目的としており、本発明の範囲を限定することを目的としていないことが当業者に理解されるであろう。当業者は、本発明がその精神または本質的特徴から逸脱することなく、他の特定の形態で具現化され得ることを認識するであろう。特定の実施形態の詳細の参照は、本発明の範囲を限定することを目的としていない。したがって、本発明の範囲は、（発明を実施するための形態）よりもむしろ、添付の特許請求の範囲により指示されることを目的とする。
【図１】
2012512716.tif 000003
【図２】
2012512716.tif 000004
【図３】
2012512716.tif 000005
【図４】
2012512716.tif 000006
【図５】
2012512716.tif 000007
【図６】
2012512716.tif 000008
【図７】
2012512716.tif 000009
【図８】
2012512716.tif 000010
【図９】
2012512716.tif 000011
【図１０】
2012512716.tif 000012
【図１１】
2012512716.tif 000013
【図１２】
2012512716.tif 000014
【図１３】
2012512716.tif 000015
【図１４】
2012512716.tif 000016
【図１５】
2012512716.tif 000017
【図１６】
2012512716.tif 000018
【図１７】
2012512716.tif 000019
【国際調査報告】
2012512716.tif 000020
2012512716.tif 000021
2012512716.tif 000022
2012512716.tif 000023
2012512716.tif 000024